(57)【特許請求の範囲】
【請求項１】
容器の口部に保持され、該容器内の内容液を吸引して圧送するポンプと、圧送された内容液を通す内部通路を有し、押し下げ及び復元の繰り返しにより該ポンプを駆動させるノズルヘッドとを備えるポンプ式注出器において、
前記内部通路は、前記ポンプに通じる縦通路と、該縦通路に連結するとともに外界に向けて開口する横通路とを有するとともに、該縦通路と該横通路がつながる連結部には、該縦通路に向かって内側に突出する突起を有し、
前記横通路に、前記内部通路の開口から前記連結部に向けて延在して、該連結部側の入口から導入した内容液を該開口側の出口から注出させる注出部材が配置され、
前記注出部材は、前記突起に連係して該横通路からの抜け出しが阻止される凹部を有するポンプ式注出器。
【請求項２】
前記注出部材は、可撓性を有する樹脂製であって、成形後の初期状態に対して前記横通路に配置される状態では屈曲される請求項１に記載のポンプ式注出器。
【請求項３】
前記縦通路は、内側に向けて突出するとともに該縦通路に沿って延在する縦リブを有し、前記注出部材は、該縦リブに連係する切り欠き部を有する請求項１又は２に記載のポンプ式注出器。
【請求項４】
前記ポンプの下流側に、内容液を発泡させる発泡部材を備え、前記縦リブは、前記発泡部材の上端に当接する請求項３に記載のポンプ式注出器。
【発明の詳細な説明】
【技術分野】
【０００１】
本発明は、容器に充填した内容液を外界に向けて注出させるポンプ式注出器に関するものであり、特に、内容液を所定の形態で注出することができる注出部材を備えるポンプ式注出器に関する。
【背景技術】
【０００２】
シャンプー、ボディソープ、ハンドソープ、洗顔料等の内容液を充填した容器においては、容器の口部に保持され、ノズルヘッドの押し下げ及び復元を繰り返すことによってポンプを駆動させて内容液を注出させるポンプ式注出器が多用されている。
【０００３】
この種のポンプ式注出器は、ノズルヘッドの先端開口から内容液を直接注出させるものが一般的であるが、所定の形態（例えば複数に分かれるようにして注出させることや、通常よりも長い距離で注出させる等）で注出させるべく、ノズルヘッドの先端開口に注出部材（マウスピース）を取り付けたものがある（例えば特許文献１参照）。
【先行技術文献】
【特許文献】
【０００４】
【特許文献１】特許第３６０９４８６号公報
【発明の概要】
【発明が解決しようとする課題】
【０００５】
ところでこのような注出器にあっては、注出部材がノズルヘッドから不用意に外れないようにするために、注出部材を抜け止め保持する機能を持たせる必要がある。特許文献１に記載のポンプ式注出器では、注出部材の外周面に凸部を設けるとともにノズルヘッドの通路の内側には凹部を設け、凸部が凹部に嵌まり込むことで注出部材が抜け止めされるようにしている。
【０００６】
すなわち、ノズルヘッドの通路に設けた凹部はアンダーカットになるため、ノズルヘッドを成形する際の離型性を考慮する必要があった。
【０００７】
本発明は、このような点を解決することを課題とするものであり、従来のノズルヘッドに設けていた凹部を利用することなく注出部材を抜け止め保持することができるポンプ式注出器を提供することを目的とする。
【課題を解決するための手段】
【０００８】
本発明は、容器の口部に保持され、該容器内の内容液を吸引して圧送するポンプと、圧送された内容液を通す内部通路を有し、押し下げ及び復元の繰り返しにより該ポンプを駆動させるノズルヘッドとを備えるポンプ式注出器において、
前記内部通路は、前記ポンプに通じる縦通路と、該縦通路に連結するとともに外界に向けて開口する横通路とを有するとともに、該縦通路と該横通路がつながる連結部には、該縦通路に向かって内側に突出する突起を有し、
前記横通路に、前記内部通路の開口から前記連結部に向けて延在して、該連結部側の入口から導入した内容液を該開口側の出口から注出させる注出部材が配置され、
前記注出部材は、前記突起に連係して該横通路からの抜け出しが阻止される凹部を有するポンプ式注出器である。
【０００９】
前記注出部材は、可撓性を有する樹脂製であって、成形後の初期状態に対して前記横通路に配置される状態では屈曲されることが好ましい。
【００１０】
前記縦通路は、内側に向けて突出するとともに該縦通路に沿って延在する縦リブを有し、前記注出部材は、該縦リブに連係する切り欠き部を有することが好ましい。
【００１１】
前記ポンプの下流側に、内容液を発泡させる発泡部材を備え、前記縦リブは、前記発泡部材の上端に当接することが好ましい。
【発明の効果】
【００１２】
本発明では、ノズルヘッドにおける縦通路と横通路との連結部に突起を有し、横通路に配置される注出部材は、ノズルヘッドの開口から連結部に向けて延在するものであって、且つこの突起に連係する凹部を備えている。これにより、凸部が凹部に引っ掛かって注出部材を抜け止め保持することができる。また、ノズルヘッドを成形するにあたり、縦通路と横通路との連結部では、縦通路を形成するための金型部分と横通路を形成するための金型部分とが突き当たることになるが、突起はこの突き当て面に設けることができるので、この場合は突起がアンダーカットになることはなく、良好な離型性を得ることができる。
【００１３】
注出部材を、可撓性を有する樹脂製とし、成形後の初期状態に対して横通路に配置される状態では屈曲されるようにする場合には、注出部材は付勢力をもって横通路に配置されることになる。すなわち、ノズルヘッドから注出部材を抜け出させる向きに力が及ぶ場合でも、注出部材と横通路との間には抵抗力が生じるため、注出部材の抜け出しがより確実に防止できるとともに、前記凸部と前記凹部との係合が確実に維持される。
【００１４】
縦通路に、内側に向けて突出するとともにこの縦通路に沿って延在する縦リブを設け、注出部材に、縦リブに連係する切り欠き部を設ける場合は、ノズルヘッドに対して注出部材が縦リブに交差する方向にずれることを防止できる。
【００１５】
ポンプの下流側に発泡部材を設ける場合は、内容液を発泡させることができるので、注出部材から注出させた内容液の形態が維持されやすくなる。また縦リブを、発泡部材の上端に当接させる場合は、縦リブに、発泡部材の抜け止め（位置決め）機能を持たせることができる。
【図面の簡単な説明】
【００１６】
【図１】本発明に従うポンプ式注出器の一実施形態を示す断面図である。
【図２】図１に示すポンプ式注出器の平面図、及び注出部材を構成する注出ヘッドの正面図である。
【図３】（ａ）は注出部材を構成する挿入部材の初期状態を示す、断面図、平面図、正面図、背面図であり、（ｂ）は挿入部材が横通路に配置される際に屈曲する状態を示す断面図である。
【図４】（ａ）は図１におけるＸ部の部分拡大断面図であり、（ｂ）は、（ａ）に示すＹ−Ｙに沿う断面図である。
【図５】連結部に形成される突起について説明する部分拡大断面図である。
【発明を実施するための形態】
【００１７】
以下、図面を参照して、本発明であるポンプ式注出器の一実施形態を詳細に説明する。なお、本明細書、特許請求の範囲、要約書において、「上」とは、後述するベースキャップに対してノズルヘッドが位置する側であり、「下」とはその反対側である。また、「前」とは、ノズルヘッドの中心軸線に対してノズルヘッドの開口が位置する側であり、「後」方向とはその反対側である。
【００１８】
図１において、符号１は、図示を省略する容器の口部に装着されるベースキャップを示す。ベースキャップ１は、容器の口部を取り囲む円筒状の周壁１ａと、周壁１ａの上端から径方向内側に向けて延在するドーナツ状の天面壁１ｂと、天面壁１ｂの内周縁から起立する筒状壁１ｃとを備えている。また、周壁１ａの内周面には、容器の口部に設けられた雄ねじ部に適合する雌ねじ部１ｄが設けられている。なお、ベースキャップ１を容器に保持するには、アンダーカット等、従来知られた他の係合手段を用いてもよい。
【００１９】
図中、符号２は、ベースキャップ１によって容器の口部に吊下げ保持され、容器に充填した内容液を汲み上げるポンプを示す。本実施形態のポンプ２は、小径筒体３ａと大径筒体３ｂとを直列状に配置した形態をなすシリンダー３に、内容液用ピストン４、ポペット５、ステム６、スプリング７、ボール弁８、空気用ピストン９、逆止弁１０を組み込んだものであり、ステム６の押し下げ及び復帰によって、内容液と空気とをそれぞれ個別に吸引、加圧、圧送するものである。
【００２０】
符号１１は、ポンプ２から圧送された内容液及び空気を合流させて発泡させる発泡部材である。本実施形態の発泡部材１１は、ステム６の上部に設けられている。また発泡部材１１は、リング状となる本体部の一端部にメッシュを取り付けたメッシュリング１２と、メッシュリング１２を保持する（本実施形態では２つのメッシュリング１２を保持する）ジェットリング１３とにより構成されている。
【００２１】
符号１４は、ノズルヘッドである。ノズルヘッド１４は、発泡部材１１を取り囲んでステム６に連結する内筒１４ａと、ステム６を押し下げる際に押圧部となる天壁１４ｂと、天壁１４ｂに連結するとともに横方向に向けて延在するノズル１４ｃとを備えている。また、ノズルヘッド１４の内部には、内筒１４ａの内側に形成される縦通路Ｔ１と、ノズル１４ｃの内側に形成され、一端が縦通路Ｔ１に連結して他端が外界に向けて開口する横通路Ｔ２とで構成される内部通路Ｔが設けられている。また、内筒１４ａの内面における後方には、縦通路Ｔ１に沿って延在する縦リブ１４ｄが設けられている。ここで縦リブ１４ｄは、メッシュリング１２の一部に被さるようにジェットリング１３の上端に当接しており、メッシュリング１２及びジェットリング１３の抜け出しを防止している。
【００２２】
図４、図５に示すように、縦通路Ｔ１と横通路Ｔ２とがつながる連結部Ｔ３には、天壁１４ｂから内側に突出する突起１４ｅが設けられている。本実施形態の突起１４ｅは、図５に示すように、縦通路Ｔ１を形成するための金型部分Ｍ１と横通路Ｔ２を形成するための金型部分Ｍ２との突き当て面に形成されるようにしている。これにより、突起１４ｅがアンダーカットになることはないので、良好な離型性を得ることができる。
【００２３】
また図１に示すようにノズルヘッド１４は、内筒１４ａを取り囲む外筒１４ｆを備えている。更に本実施形態では、外筒１４ｆの下端に装着され、ベースキャップ１の筒状壁１ｃとの隙間を減らす環状部材１５を設けている。
【００２４】
横通路Ｔ２には、注出部材１６が配置されている。本実施形態の注出部材１６は、ノズル１４ｃの開口から連結部Ｔ３に向けて延在する挿入部材１７と、挿入部材１７の前方に取り付けられる注出ヘッド１８とで構成されている。
【００２５】
挿入部材１７は、図３（ａ）に示すように矩形状をなす基部１７ａと、基部１７ａの後端から斜め上方向に伸びるとともに、基部１７ａよりも小さな矩形状になる環状壁１７ｂと、環状壁１７ｂの後端から環状壁１７ｂの延在する向きと同じ向きで延在し、下側を開口させた、断面コ字状の管状壁１７ｃとを備えている。また基部１７ａの外周面には、外側に向けて突出する凸部１７ｄが設けられていて、管状壁１７ｃの後端側上面には、溝状の凹部１７ｅが設けられている。なお凹部１７ｅは、管状壁１７ｃを貫く貫通孔であってもよい。更に、管状壁１７ｃの後端中央部には、切り欠き部１７ｆが設けられている。なお、図３（ａ）は、成形後の初期状態での挿入部材１７を示している。
【００２６】
挿入部材１７は、可撓性を有する樹脂製であって、図３（ｂ）に仮想線で示す初期状態に対し、横通路Ｔ２に配置される状態では、同図に実線で示すように下向きに屈曲させている。
【００２７】
注出ヘッド１８は、図１、図２に示すように、挿入部材１７の基部１７ａを取り囲む矩形状の外壁１８ａと、外壁１８ａの前端に設けられた頂壁１８ｂと、頂壁１８ｂから前方に向けて延在する円筒状の注出筒１８ｃ（本実施形態では総計３つを一列に並べている）を備えている。また外壁１８ａの内周面には、凸部１７ｄに連係する爪部１８ｄを設けている。
【００２８】
このような挿入部材１７及び注出ヘッド１８で構成される注出部材１６を横通路Ｔ２に配置した際、図４（ａ）に示すように凹部１７ｅは突起１４ｅに連係するので、注出部材１６はノズルヘッド１４に対して抜け止め保持される。この時、挿入部材１７は初期状態から屈曲していて、その復元力で挿入部材１７の一部がノズルヘッド１４に当接している。本実施形態では、管状壁１７ｃが断面コ字状であるため（上部の壁だけでなく両側部にも壁があるため）、管状壁１７ｃのコシが強くなることからより高い復元力で挿入部材１７をノズルヘッド１４に当接させることができる。このため、ノズルヘッド１４から挿入部材１７を抜け出させる向きに力が及ぶ場合でも、ノズルヘッド１４と挿入部材１７との間には抵抗力が生じるため、挿入部材１７の抜け出しがより確実に防止できる。しかも、挿入部材１７の復元力は上方向に作用するため、突起１４ｅに対する凹部１７ｅの掛かりがより確実になり、挿入部材１７の抜け出しが更に確実に防止できる。なお、挿入部材１７の環状壁１７ｂは、ノズル１４ｃの内面に密に当接しているので、ここから内容液が漏れ出すことはない。
【００２９】
本発明に従うポンプ式注出器は、上述した実施形態に限定されるものではなく、特許請求の範囲に従う範囲で種々の変更が可能である。例えば上述した実施形態では発泡部材を設けたが、これを設けずに内容液を直接注出させるようにしてもよい。また注出ヘッドに設けた注出筒の数、配置、穴径等は、所期する注出形態に合わせて適宜変更してもよい。そしてポンプは、上述した態様のものに限られず、従来知られた他の態様のポンプを用いてもよい。
【符号の説明】
【００３０】
１：ベースキャップ
１ａ：周壁
１ｂ：天面壁
１ｃ：筒状壁
１ｄ：雌ねじ部
２：ポンプ
３：シリンダー
３ａ：小径筒体
３ｂ：大径筒体
４：内容液用ピストン
５：ポペット
６：ステム
７：スプリング
８：ボール弁
９：空気用ピストン
１０：逆止弁
１１：発泡部材
１２：メッシュリング
１３：ジェットリング
１４：ノズルヘッド
１４ａ：内筒
１４ｂ：天壁
１４ｃ：ノズル
１４ｄ：縦リブ
１４ｅ：突起
１４ｆ：外筒
１５：環状部材
１６：注出部材
１７：挿入部材
１７ａ：基部
１７ｂ：環状壁
１７ｃ：管状壁
１７ｄ：凸部
１７ｅ：凹部
１７ｆ：切り欠き部
１８：注出ヘッド
１８ａ：外壁
１８ｂ：頂壁
１８ｃ：注出筒
１８ｄ：爪部
Ｍ１：縦通路を形成する金型部分
Ｍ２：横通路を形成する金型部分
Ｔ：内部通路
Ｔ１：縦通路
Ｔ２：横通路
Ｔ３：連結部
【図１】
0006556498.tif 000002
【図２】
0006556498.tif 000003
【図３】
0006556498.tif 000004
【図４】
0006556498.tif 000005
【図５】
0006556498.tif 000006